(57)【要約】【課題】プリント出力の目的に応じた最適なプリント出力を自動的に得ることができる画像処理装置、画像処理方法、及び画像処理プログラムを得る。【解決手段】各々色の使用傾向が異なる複数の出力モードの何れかに対応し、対応する出力モードによる色の使用傾向となり、かつ予め定められた色空間（ＹＭＣＫ色空間）の画像信号となるように入力画像信号を出力画像信号に変換するものとして作成された複数の色変換情報を色変換情報保持部１８Ｃによって予め記憶しておき、制御部１８Ａにより、前記入力画像信号における色の使用傾向に類似する色の使用傾向とされている出力モードを、各出力モードに対応するものとしてカラーパレット保持部１８Ｂに記憶されているカラーパレット情報に基づいて特定し、特定した出力モードに対応する前記色変換情報を用いて前記入力画像信号を前記出力画像信号に変換するように色変換情報保持部１８Ｃを制御する。【選択図】図２
2007243350.tif 000002
【特許請求の範囲】
【請求項１】
各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が予め記憶された記憶手段と、
前記入力画像信号における色の使用傾向に類似する色の使用傾向とされている出力モードを特定する特定手段と、
前記特定手段によって特定された出力モードに対応する前記色変換情報を用いて前記入力画像信号を前記出力画像信号に変換する変換手段と、
を備えた画像処理装置。
【請求項２】
前記記憶手段は、各々前記複数の出力モードの何れかに対応し、対応する出力モードによる色の使用傾向を示すものとして作成された複数のカラーパレット情報が更に予め記憶されたものであり、
前記特定手段は、前記入力画像信号で用いられている色と前記カラーパレット情報に含まれる色との合致率を導出し、当該合致率に基づいて前記出力モードの特定を行う
請求項１記載の画像処理装置。
【請求項３】
前記複数のカラーパレット情報は、汎用のカラーパレット情報を含む
請求項２記載の画像処理装置。
【請求項４】
前記複数のカラーパレット情報は、優先順位が予め定められたものであり、
前記特定手段は、前記優先順位の高い順に前記合致率を導出し、当該合致率が予め定められた許容範囲内の値となった時点で当該合致率の導出を終了して、導出した合致率に基づいて前記出力モードの特定を行う
請求項２又は請求項３記載の画像処理装置。
【請求項５】
前記特定手段は、前記複数のカラーパレット情報の全てについて前記合致率を導出し、導出した複数の合致率に基づいて前記出力モードの特定を行う
請求項２又は請求項３記載の画像処理装置。
【請求項６】
前記特定手段によって特定された出力モードが複数存在する場合に、当該複数の出力モードに対応する色変換情報を合成して合成色変換情報を生成する合成手段を更に備え、
前記変換手段は、前記合成手段によって生成された前記合成色変換情報を用いて前記入力画像信号を前記出力画像信号に変換する
請求項２乃至請求項５の何れか１項記載の画像処理装置。
【請求項７】
前記変換手段は、前記特定手段によって特定された出力モードが複数存在する場合に、当該複数の出力モードに対応する複数の色変換情報のうち、変換後の出力画像信号における色数が最も多くなる色変換情報を用いて前記入力画像信号を前記出力画像信号に変換する
請求項２乃至請求項５の何れか１項記載の画像処理装置。
【請求項８】
前記入力画像信号の色域が、前記変換手段により用いられる前記色変換情報に対応する前記カラーパレット情報の色域より外に存在する場合に、前記入力画像信号の色域を当該カラーパレット情報の色域内となるように色域マッピングを行うマッピング手段
を更に備えた請求項２乃至請求項７の何れか１項記載の画像処理装置。
【請求項９】
各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶されている画像処理装置における画像処理方法であって、
前記入力画像信号における色の使用傾向に類似する色の使用傾向とされている出力モードを特定し、
特定した出力モードに対応する前記色変換情報を用いて前記入力画像信号を前記出力画像信号に変換する、
画像処理方法。
【請求項１０】
各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶されている画像処理装置において実行される画像処理プログラムであって、
前記入力画像信号における色の使用傾向に類似する色の使用傾向とされている出力モードを特定する特定ステップと、
前記特定ステップによって特定された出力モードに対応する前記色変換情報を用いて前記入力画像信号を前記出力画像信号に変換させる変換ステップと、
をコンピュータに実行させる画像処理プログラム。
【発明の詳細な説明】
【技術分野】
【０００１】
本発明は、画像処理装置、画像処理方法、及び画像処理プログラムに係り、特に、各々色の使用傾向が異なる複数の出力モードに対応して作成され、対応する出力モードによる色の使用傾向となり、かつ予め定められた色空間の画像信号となるように入力画像信号を変換する複数の色変換情報を有し、当該複数の色変換情報を選択的に用いて前記入力画像信号に対する画像処理を行う画像処理装置、画像処理方法、及び画像処理プログラムに関する。
【背景技術】
【０００２】
現在のプリンタは、そのプリント出力の目的に最適化した複数の出力モードを有するものが多く、この種のプリンタでは、目的に応じた出力モードを選択的に用いることにより、当該目的に応じた適切なプリント出力を行うことができる。
【０００３】
しかしながら、この種の出力モードの設定変更は必ずしも簡易に行うことができるとは限らず、実際には当該出力モードの設定変更は殆ど行われていないのが実情である。
【０００４】
従来、プリンタに予め用意されたモードの選択を自動的に行うことに関する技術として、特許文献１には、アプリケーションにより生成された印刷命令を解析し、各ページの色属性を判断する解析手段と、印刷装置における印刷処理と、前記解析手段により判断された各ページの色属性とに基づいて、印刷データの色処理モードを決定する色処理モード決定手段と、前記色処理モード決定手段により決定された色処理モードで、該印刷命令に基づく印刷データを生成する印刷データ生成手段とを有し、前記色処理モード決定手段は、前記印刷装置における印刷処理に適する色処理モードを決定することを特徴とする技術が開示されている。
【特許文献１】特開２０００−３０５７４４号公報
【発明の開示】
【発明が解決しようとする課題】
【０００５】
しかしながら、上記特許文献１に開示されている技術では、各ページの色属性に応じた色処理モードを自動的に決定することはできるものの、プリント出力の目的に応じた出力モードを自動的に決定することはできないため、当該目的に最適なプリント出力を自動的に得るようにすることができない、という問題点があった。
【０００６】
本発明は、上記問題点を解決するためになされたものであり、プリント出力の目的に応じた最適なプリント出力を自動的に得ることができる画像処理装置、画像処理方法、及び画像処理プログラムを提供することを目的とする。
【課題を解決するための手段】
【０００７】
上記目的を達成するために、請求項１に記載の画像処理装置は、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が予め記憶された記憶手段と、前記入力画像信号における色の使用傾向に類似する色の使用傾向とされている出力モードを特定する特定手段と、前記特定手段によって特定された出力モードに対応する前記色変換情報を用いて前記入力画像信号を前記出力画像信号に変換する変換手段と、を備えている。
【０００８】
請求項１に記載の画像処理装置によれば、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶される。なお、上記記憶手段には、ＲＡＭ、ＥＥＰＲＯＭ、フラッシュＥＥＰＲＯＭ等の半導体記憶素子、スマート・メディア（SmartMedia（登録商標））、フレキシブル・ディスク等の可搬記録媒体やハードディスク等の固定記録媒体、或いはネットワークに接続されたサーバ・コンピュータ等に設けられた外部記憶装置等の各種記憶手段が含まれる。
【０００９】
ここで、本発明では、前記入力画像信号における色の使用傾向に類似する色の使用傾向とされている出力モードが特定手段によって特定され、変換手段により、特定された出力モードに対応する前記色変換情報が用いられて前記入力画像信号が前記出力画像信号に変換される。
【００１０】
このように、請求項１記載の画像処理装置によれば、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶されている画像処理装置において、前記入力画像信号における色の使用傾向に類似する色の使用傾向とされている出力モードを特定し、特定した出力モードに対応する前記色変換情報を用いて前記入力画像信号を前記出力画像信号に変換しているので、プリント出力の目的に応じた最適なプリント出力を自動的に得ることができる。
【００１１】
なお、本発明は、請求項２に記載の発明のように、前記記憶手段が、各々前記複数の出力モードの何れかに対応し、対応する出力モードによる色の使用傾向を示すものとして作成された複数のカラーパレット情報が更に予め記憶されたものであり、前記特定手段が、前記入力画像信号で用いられている色と前記カラーパレット情報に含まれる色との合致率を導出し、当該合致率に基づいて前記出力モードの特定を行うものとしてもよい。
【００１２】
特に、請求項２に記載の発明は、請求項３に記載の発明のように、前記複数のカラーパレット情報が、汎用のカラーパレット情報を含むものとしてもよい。
【００１３】
また、請求項２又は請求項３に記載の発明は、請求項４に記載の発明のように、前記複数のカラーパレット情報が、優先順位が予め定められたものであり、前記特定手段が、前記優先順位の高い順に前記合致率を導出し、当該合致率が予め定められた許容範囲内の値となった時点で当該合致率の導出を終了して、導出した合致率に基づいて前記出力モードの特定を行うものとしてもよい。
【００１４】
また、請求項２又は請求項３に記載の発明は、請求項５に記載の発明のように、前記特定手段が、前記複数のカラーパレット情報の全てについて前記合致率を導出し、導出した複数の合致率に基づいて前記出力モードの特定を行うものとしてもよい。
【００１５】
また、請求項２乃至請求項５の何れか１項に記載の発明は、請求項６に記載の発明のように、前記特定手段によって特定された出力モードが複数存在する場合に、当該複数の出力モードに対応する色変換情報を合成して合成色変換情報を生成する合成手段を更に備え、前記変換手段が、前記合成手段によって生成された前記合成色変換情報を用いて前記入力画像信号を前記出力画像信号に変換するものとしてもよい。
【００１６】
また、請求項２乃至請求項５の何れか１項に記載の発明は、請求項７に記載の発明のように、前記変換手段が、前記特定手段によって特定された出力モードが複数存在する場合に、当該複数の出力モードに対応する複数の色変換情報のうち、変換後の出力画像信号における色数が最も多くなる色変換情報を用いて前記入力画像信号を前記出力画像信号に変換するものとしてもよい。
【００１７】
更に、請求項２乃至請求項７の何れか１項に記載の発明は、請求項８に記載の発明のように、前記入力画像信号の色域が、前記変換手段により用いられる前記色変換情報に対応する前記カラーパレット情報の色域より外に存在する場合に、前記入力画像信号の色域を当該カラーパレット情報の色域内となるように色域マッピングを行うマッピング手段を更に備えてもよい。
【００１８】
一方、上記目的を達成するために、請求項９記載の画像処理方法は、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶されている画像処理装置における画像処理方法であって、前記入力画像信号における色の使用傾向に類似する色の使用傾向とされている出力モードを特定し、特定した出力モードに対応する前記色変換情報を用いて前記入力画像信号を前記出力画像信号に変換するものである。
【００１９】
従って、請求項９記載の画像処理方法によれば、請求項１記載の発明と同様に作用するので、請求項１記載の発明と同様に、プリント出力の目的に応じた最適なプリント出力を自動的に得ることができる。
【００２０】
一方、上記目的を達成するために、請求項１０記載の画像処理プログラムは、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶されている画像処理装置において実行される画像処理プログラムであって、前記入力画像信号における色の使用傾向に類似する色の使用傾向とされている出力モードを特定する特定ステップと、前記特定ステップによって特定された出力モードに対応する前記色変換情報を用いて前記入力画像信号を前記出力画像信号に変換させる変換ステップと、をコンピュータに実行させるものである。
【００２１】
従って、請求項１０記載の画像処理プログラムによれば、コンピュータに対して請求項１記載の発明と同様に作用させることができるので、請求項１記載の発明と同様に、プリント出力の目的に応じた最適なプリント出力を自動的に得ることができる。
【発明の効果】
【００２２】
以上のように、本発明によれば、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段によって予め記憶されている画像処理装置において、前記入力画像信号における色の使用傾向に類似する色の使用傾向とされている出力モードを特定し、特定した出力モードに対応する前記色変換情報を用いて前記入力画像信号を前記出力画像信号に変換しているので、プリント出力の目的に応じた最適なプリント出力を自動的に得ることができる、という優れた効果が得られる。
【発明を実施するための最良の形態】
【００２３】
以下、図面を参照して本発明の実施の形態について詳細に説明する。
【００２４】
［第１の実施の形態］
まず、本実施の形態に係る画像処理装置の概略構成を説明する。図１は、本発明に係る画像処理装置の概略構成例を示すブロック図である。ここで説明する画像処理装置は、ディジタル複写機やプリンタ等といった画像出力装置に搭載され、若しくはその画像出力装置に接続するサーバ装置に搭載され、またはその画像出力装置に動作指示を与えるコンピュータ（ドライバ装置）に搭載されて用いられるもので、図例のように、入力部１２と、出力部１４と、ユーザ・インタフェース（ 以下「ＵＩ」と略す）部１６と、色空間信号変換部１８と、を備えたものである。
【００２５】
入力部１２は、入力画像信号を取得するためのものである。入力画像信号としては、例えば、ＣＲＴ等に表示させるためのＲＧＢ色空間におけるカラー画像信号、ＣＩＥＬａｂ色空間におけるカラー画像信号、ＣＭＹＫ色空間におけるカラー画像信号が挙げられる。本実施の形態では、入力画像信号がＲＧＢ色空間のカラー画像信号である場合について説明する。
【００２６】
出力部１４は、出力画像信号を出力するためのものである。出力画像信号としては、例えば、プリンタ等に印刷させるためのＹＭＣ色空間あるいはＹＭＣＫ色空間のカラー画像信号が挙げられる。本実施の形態では、出力画像信号がＹＭＣＫ色空間のカラー画像信号である場合について説明する。
【００２７】
ＵＩ部１６は、ユーザが操作することによって、色空間信号変換部１８に対する各種設定を行うためのものである。
【００２８】
色空間信号変換部１８は、入力部１２が取得した入力画像信号を、出力部１４で出力する出力画像信号に変換するためのものである。なお、本実施の形態に係る画像処理装置１０は、各々色の使用傾向が異なる複数の出力モードが備えられており、色空間信号変換部１８では、入力画像信号における色の使用傾向に類似する色の使用傾向とされている出力モードを適用して入力画像信号を出力画像信号に変換するものとされている。
【００２９】
ここで、この色空間信号変換部１８について、更に詳細に説明する。図２は、色空間信号変換部１８の概略構成例を示すブロック図である。
【００３０】
図例のように、色空間信号変換部１８は、当該色空間信号変換部１８全体の動作を司る制御部１８Ａと、予め定められた複数のカラーパレット情報が記憶された記憶手段としてのカラーパレット保持部１８Ｂと、予め定められた複数の色変換情報が記憶された記憶手段としての色変換情報保持部１８Ｃと、を備えている。
【００３１】
制御部１８Ａは、主として、入力画像信号における色の使用傾向に類似する色の使用傾向とされている出力モードを当該入力画像信号及び上記カラーパレット情報に基づき特定し、特定した出力モードに対応する色変換情報を選択的に適用して入力画像信号を出力画像信号に変換する制御を行うものである。なお、制御部１８ＡにはＵＩ部１６が接続されており、制御部１８Ａは、ＵＩ部１６の作動の制御を行う一方、ＵＩ部１６を介した各種設定内容を把握することができる。
【００３２】
一方、カラーパレット保持部１８Ｂは、上記複数の出力モードの何れかに対応し、かつ対応する出力モードの色の使用傾向を示すものとして作成された複数のカラーパレット情報が予め記憶されたものである。
【００３３】
更に、色変換情報保持部１８Ｃは、上記複数の出力モードの何れかに対応し、対応する出力モードの色の使用傾向となり、かつ予め定められた色空間（ここでは、ＹＭＣＫ色空間）の画像信号となるように入力画像信号を出力画像信号に変換するものとして作成された複数の色変換情報が予め記憶されたものである。なお、本実施の形態に係る色変換情報保持部１８Ｃは、当該複数の色変換情報の何れか１つを制御部１８Ａからの制御に応じて選択的に適用して画像信号の変換を行うことができるものとして構成されている。
【００３４】
次に、図３を参照して、本実施の形態に係るカラーパレット情報の構成を説明する。
【００３５】
同図に示すように、本実施の形態に係るカラーパレット情報は、対応する出力モードを示す出力モード番号と、対応する出力モードにおいて入力色として用いられるＲ（赤），Ｇ（緑），Ｂ（青）の各濃度値の予め定められた組み合わせが出力モード別に記憶されて構成されている。
【００３６】
従って、制御部１８Ａは、カラーパレット保持部１８Ｂのカラーパレット情報を参照することによって出力モード別の入力色を把握することができる。
【００３７】
なお、本実施の形態に係る画像処理装置１０では、上記カラーパレット情報に、ウェブ・セーフ・カラーや、汎用のアプリケーション・プログラムで用いられているカラーパレット情報等の汎用のカラーパレット情報が含められている。
【００３８】
次に、図４を参照して、本実施の形態に係る色変換情報の構成を説明する。
【００３９】
同図に示すように、本実施の形態に係る色変換情報は、上記カラーパレット情報と同一の出力モード番号と、対応する出力モードにおいて適用される入力画像信号のＲ，Ｇ，Ｂの各濃度値の予め定められた組み合わせと、これに対応する出力画像信号のＣ（シアン），Ｍ（マゼンタ），Ｙ（イエロー），Ｋ（ブラック）の各濃度値の組み合わせが出力モード別に記憶されて構成されている。なお、本実施の形態に係る色変換情報保持部１８Ｃでは、当該色変換情報をルック・アップ・テーブルとして保持している。
【００４０】
次に、図５を参照して、以上のように構成された画像処理装置１０における、入力画像信号を出力画像信号に変換する際の作用を説明する。なお、図５は、この際に制御部１８Ａにより実行される画像処理プログラムの処理の流れを示すフローチャートであり、当該プログラムは、制御部１８Ａに内蔵された不図示のメモリに予め記憶されている。
【００４１】
まず、同図のステップ１００では、入力部１２からの入力画像信号の入力待ちを行い、次のステップ１０２では、カラーパレット保持部１８Ｂからカラーパレット情報（図３も参照。）を読み出す。なお、ここで入力された入力画像信号は制御部１８Ａに内蔵された不図示のメモリに一時的に記憶される。
【００４２】
次のステップ１０４では、出力モード特定処理ルーチン・プログラムを実行する。以下、図６を参照して、本実施の形態に係る出力モード特定処理ルーチン・プログラムについて説明する。
【００４３】
まず、ステップ２００では、上記ステップ１０２において読み出したカラーパレット情報のうち、何れか１つの出力モードに対応する情報を処理対象とする情報（以下、「処理対象パレット」という。）として、処理対象パレットに含まれた色とされている入力画像信号の画素数を計数し、次のステップ２０２にて、計数した画素数の入力画像信号の全画素数に対する割合をヒット率Ｈ（本発明の「合致率」に相当。）として算出し、更に、次のステップ２０４にて、算出したヒット率Ｈを処理対象パレットに対応する出力モード番号に関連付けて記憶する。なお、本実施の形態に係る画像処理装置１０では、上記ヒット率Ｈを上記不図示のメモリに記憶しているが、これに限らず、例えば、カラーパレット保持部１８Ｂの空き領域等、他の記憶手段に記憶するようにしてもよいことは言うまでもない。
【００４４】
次のステップ２０６では、全出力モードに対応するカラーパレット情報について上記ヒット率Ｈの算出及び記憶が終了したか否かを判定し、否定判定となった場合は上記ステップ２００に戻り、肯定判定となった時点でステップ２０８に移行する。なお、上記ステップ２００〜ステップ２０６の処理を繰り返し行う場合には、それまでに処理対象としなかった出力モードのカラーパレット情報を処理対象パレットとして適用するようにする。以上のステップ２００〜ステップ２０６の繰り返し処理によって、各出力モード別のヒット率Ｈが記憶されることになる。
【００４５】
ステップ２０８では、以上の処理によって記憶された全てのヒット率Ｈを読み出し、次のステップ２１０にて、読み出したヒット率Ｈのうち最も高いヒット率Ｈに関連付けられた出力モード番号により示される出力モードを、入力画像信号に最も類似する色の使用傾向とされた出力モードであるものとして特定する。
【００４６】
以上の処理が終了すると、画像処理プログラム（図５参照。）のステップ１０６に戻り、上記出力モード特定処理ルーチン・プログラムによって特定した出力モードに対応する色変換情報が選択的に適用されるように色変換情報保持部１８Ｃを制御した後、不図示のメモリに記憶した入力画像信号を色変換情報保持部１８Ｃに出力するように制御し、その後に本画像処理プログラムを終了する。
【００４７】
以上の画像処理プログラムの実行により、一例として図７に模式的に示されるように、入力画像信号により示される原稿使用色に最も合致するカラーパレット情報に対応する色変換情報が選択的に適用されて、入力画像信号が出力画像信号に変換されることになる。
【００４８】
以上詳細に説明したように、本実施の形態では、各々色の使用傾向が異なる複数の出力モードの何れかに対応し、対応する出力モードによる色の使用傾向となり、かつ予め定められた色空間の画像信号となるように入力画像信号を出力画像信号に変換するものとして作成された複数の色変換情報が記憶手段（ここでは、色変換情報保持部１８Ｃ）によって予め記憶されている画像処理装置において、前記入力画像信号における色の使用傾向に類似する色の使用傾向とされている出力モードを特定し、特定した出力モードに対応する前記色変換情報を用いて前記入力画像信号を前記出力画像信号に変換しているので、プリント出力の目的に応じた最適なプリント出力を自動的に得ることができる。
【００４９】
また、本実施の形態では、記憶手段（ここでは、カラーパレット保持部１８Ｂ）により、各々前記複数の出力モードの何れかに対応し、対応する出力モードによる色の使用傾向を示すものとして作成された複数のカラーパレット情報を更に予め記憶しておき、前記入力画像信号で用いられている色と前記カラーパレット情報に含まれる色との合致率（ここでは、ヒット率Ｈ）を導出して、当該合致率に基づき前記出力モードの特定を行っているので、当該特定を簡易に行うことができる。
【００５０】
特に、本実施の形態では、前記複数のカラーパレット情報が、汎用のカラーパレット情報を含むものとしているので、入力画像信号が当該汎用のカラーパレット情報を用いて作成されたものである場合には、最適な色変換情報を用いて出力画像信号を得ることができる。
【００５１】
更に、本実施の形態では、前記複数のカラーパレット情報の全てについて前記合致率を導出し、導出した複数の合致率に基づいて前記出力モードの特定を行っているので、予め用意されている色変換情報のうち、入力画像信号の色の使用傾向に最も類似した色変換情報を用いて入力画像信号の出力画像信号への変換を行うことができる結果、よりユーザの嗜好に合致した出力画像信号を得ることができる。
【００５２】
［第２の実施の形態］
上記第１の実施の形態では、全てのカラーパレット情報に対するヒット率Ｈを算出し、最も高いヒット率Ｈとなったカラーパレット情報に対応する出力モードを選択する場合の形態例について説明したが、本第２の実施の形態では、ヒット率Ｈの算出を、予め定められた優先順位の順でカラーパレット情報毎に行い、算出されたヒット率Ｈが予め定められた値以上となった時点で、適用すべき出力モードに対応するカラーパレット情報が特定されたものとして当該ヒット率Ｈの算出を停止する場合の形態例について説明する。なお、本第２の実施の形態に係る画像処理装置１０の構成は、カラーパレット情報の構成を除いて、上記第１の実施の形態に係るものと同様であるので、ここでは、まず、本第２の実施の形態に係るカラーパレット情報の構成を、図８を参照しつつ説明する。
【００５３】
同図に示すように、本第２の実施の形態に係るカラーパレット情報は、各出力モード番号別に優先順位を示す情報が予め記憶されている点のみが上記第１の実施の形態に係るカラーパレット情報（図３も参照。）と異なっている。
【００５４】
なお、本実施の形態に係る画像処理装置１０では、上記優先順位を、当該画像処理装置１０による適用頻度が高い順となるように自動的に設定、更新するものとされているが、これに限らず、例えば、ユーザによりＵＩ部１６を介して設定する形態等とすることもできる。
【００５５】
次に、本第２の実施の形態に係る画像処理装置１０における、入力画像信号を出力画像信号に変換する際の作用を説明する。なお、当該作用は出力モード特定処理ルーチン・プログラムの実行時における作用を除いて上記第１の実施の形態に係るものと同様であるので、ここでは、図９を参照して、本第２の実施の形態に係る出力モード特定処理ルーチン・プログラムについて説明する。
【００５６】
まず、ステップ３００では、画像処理プログラム（図５も参照。）のステップ１０２において読み出したカラーパレット情報のうち、最も優先順位が高い情報を処理対象とする情報（以下、「優先順位順パレット」という。）として、優先順位順パレットに含まれた色とされている入力画像信号の画素数を計数し、次のステップ３０２にて、計数した画素数の入力画像信号の全画素数に対する割合をヒット率Ｈとして算出し、更に、次のステップ３０４にて、算出したヒット率Ｈを優先順位順パレットに対応する出力モード番号に関連付けて記憶する。なお、本実施の形態に係る画像処理装置１０でも、上記ヒット率Ｈを上記不図示のメモリに記憶しているが、これに限らず、例えば、カラーパレット保持部１８Ｂの空き領域等、他の記憶手段に記憶するようにしてもよいことは言うまでもない。
【００５７】
次のステップ３０６では、算出したヒット率Ｈが所定値（一例として、７０％）以上であるか否かを判定し、否定判定となった場合はステップ３０８に移行する。なお、本実施の形態に係る画像処理装置１０では、上記所定値として、ユーザによりＵＩ部１６を介して形成画像の用途等に応じた値として予め設定された値を適用しているが、これに限らず、固定値を恒常的に適用する形態等とすることもできる。
【００５８】
ステップ３０８では、全出力モードに対応するカラーパレット情報について上記ステップ３００〜ステップ３０６の処理が終了したか否かを判定し、否定判定となった場合は上記ステップ３００に戻り、肯定判定となった場合にはステップ３１０に移行する。なお、上記ステップ３００〜ステップ３０８の処理を繰り返し行う場合には、それまでに処理対象としなかったカラーパレット情報を優先順位順に優先順位順パレットとして適用するようにする。
【００５９】
ステップ３１０では、以上の処理によって記憶された全てのヒット率Ｈを読み出し、次のステップ３１２にて、読み出したヒット率Ｈのうち最も高いヒット率Ｈに関連付けられた出力モード番号により示される出力モードを、入力画像信号に最も類似する色の使用傾向とされた出力モードであるものとして特定し、その後に本出力モード特定処理ルーチン・プログラムを終了する。
【００６０】
一方、上記ステップ３０６において肯定判定となった場合はステップ３１４に移行し、この時点で処理対象としている優先順位順パレットに対応する出力モードを、入力画像信号の色の使用傾向に対する類似の度合いが、上記所定値により示される度合い以上となる出力モードであるものとして特定し、その後に本出力モード特定処理ルーチン・プログラムを終了する。
【００６１】
以上の出力モード特定処理ルーチン・プログラムが適用された画像処理プログラムの実行により、一例として図１０に模式的に示されるように、入力画像信号により示される原稿使用色のカラーパレット情報により示される色に対するヒット率Ｈが所定値以上となった時点で、適用すべき出力モードに対応するカラーパレット情報が特定されたものとして当該ヒット率Ｈの算出を停止し、当該カラーパレット情報に対応する色変換情報が適用されて、入力画像信号が出力画像信号に変換されることになる。また、このとき、何れのカラーパレット情報に対してもヒット率Ｈが所定値に満たなかった場合には、ヒット率Ｈが最も高いカラーパレット情報に対応する出力モードの色変換情報が選択的に適用されて、入力画像信号が出力画像信号に変換されることになる。
【００６２】
以上詳細に説明したように、本第２実施形態では、上記第１実施形態と同様の効果を奏することができると共に、複数のカラーパレット情報が、優先順位が予め定められたものとし、前記優先順位の高い順に前記合致率を導出して、当該合致率が予め定められた許容範囲内の値となった時点で当該合致率の導出を終了して、導出した合致率に基づいて前記出力モードの特定を行っているので、当該特定を短時間で行うことができる。
【００６３】
なお、本第２の実施の形態では、各出力モード別のカラーパレット情報に含まれる色の種類については特に言及しなかったが、優先順位が低くなるに従って、含まれる色の種類を徐々に増やすように、すなわち、優先順位順にＫ番目のカラーパレット情報は（Ｋ−１）番目のカラーパレット情報を包含するように、各出力モード別のカラーパレット情報を構成する形態とすることもできる。この場合、優先順位が低くなるほどヒット率Ｈを高くすることができ、この結果として、出力モード特定処理ルーチン・プログラムの実行速度を、より速くすることができる。
【００６４】
［第３の実施の形態］
本第３の実施の形態では、ヒット率が所定値以上のカラーパレット情報が複数存在する場合の形態例について説明する。なお、本第３の実施の形態に係る画像処理装置１０の構成は、上記第１の実施の形態に係るものと同様であるので、ここでの説明は省略する。
【００６５】
まず、図１１を参照して、本第３の実施の形態に係る画像処理装置１０における、入力画像信号を出力画像信号に変換する際の作用を説明する。なお、図１１は、この際に制御部１８Ａにより実行される画像処理プログラムの処理の流れを示すフローチャートであり、当該プログラムは、制御部１８Ａに内蔵された不図示のメモリに予め記憶されている。また、同図における図５と同一の処理を行うステップについては図５と同一のステップ番号を付して、その説明を極力省略する。
【００６６】
同図のステップ１０３では、図１２に示される出力モード特定処理ルーチン・プログラムを実行する。以下、図１２を参照して、本第３の実施の形態に係る出力モード特定処理ルーチン・プログラムについて説明する。なお、同図における図６と同一の処理を行うステップについては図６と同一のステップ番号を付して、その説明を極力省略する。
【００６７】
同図のステップ２１２では、ステップ２０８にて読み出したヒット率Ｈのうち、所定値（一例として、５０％）以上の複数（一例として、２つ）のヒット率Ｈに各々関連付けられた複数の出力モード番号により示される複数の出力モードを、入力画像信号に類似する色の使用傾向とされた複数の出力モードであるものとして特定する。なお、本実施の形態に係る画像処理装置１０では、上記所定値として、ユーザによりＵＩ部１６を介して形成画像の用途等に応じた値として予め設定された値を適用しているが、これに限らず、固定値を恒常的に適用する形態等とすることもできる。
【００６８】
なお、上記ステップ２１２の処理において複数の出力モードが特定できない場合も有り得るが、ここでは、錯綜を回避するために、複数の出力モードが特定できる場合のみについて説明する。
【００６９】
以上の処理が終了すると、画像処理プログラム（図１１参照。）のステップ１０８に戻り、上記出力モード特定処理ルーチン・プログラムによって特定した複数の出力モードに対応する複数の色変換情報を合成することにより、合成色変換情報を生成する。なお、本実施の形態に係る画像処理プログラムでは、上記複数の色変換情報の合成を、当該複数の色変換情報における、対応する出力画素信号同士の平均値を算出して適用することによる合成を適用している。ここで、本実施の形態に係る画像処理プログラムでは、上記平均値として、ヒット率Ｈに応じた重み付けによる加重平均値を適用している。これにより、より的確な合成色変換情報を得ることができる。
【００７０】
次のステップ１１０では、以上の処理によって生成した合成色変換情報を色変換情報保持部１８Ｃに追加する処理を行い、次のステップ１１２にて、追加した合成色変換情報が選択的に適用されるように色変換情報保持部１８Ｃを制御した後、不図示のメモリに記憶した入力画像信号を色変換情報保持部１８Ｃに出力するように制御し、その後に本画像処理プログラムを終了する。
【００７１】
以上の画像処理プログラムの実行により、一例として図１３に模式的に示されるように、入力画像信号により示される原稿使用色に所定レベル以上合致するカラーパレット情報が複数存在する場合に、当該複数のカラーパレット情報に対応する色変換情報が合成され、これによって得られた合成色変換情報が適用されて、入力画像信号が出力画像信号に変換されることになる。
【００７２】
以上詳細に説明したように、本第３実施形態では、上記第１実施形態と同様の効果を奏することができると共に、特定した出力モードが複数存在する場合に、当該複数の出力モードに対応する色変換情報を合成して合成色変換情報を生成し、生成した前記合成色変換情報を用いて前記入力画像信号を前記出力画像信号に変換しているので、ユーザの嗜好がきめ細かく反映された合成色変換情報を用いて画像信号の変換を行うことができる結果、よりユーザの嗜好に合致した出力画像信号を得ることができる。
【００７３】
［第４の実施の形態］
本第４の実施の形態では、ヒット率が所定値以上のカラーパレット情報が複数存在する場合の他の形態例について説明する。なお、本第４の実施の形態に係る画像処理装置１０の構成は、上記第２の実施の形態に係るものと同様であるので、ここでの説明は省略する。
【００７４】
次に、本第４の実施の形態に係る画像処理装置１０における、入力画像信号を出力画像信号に変換する際の作用を説明する。なお、当該作用は出力モード特定処理ルーチン・プログラムの実行時における作用を除いて上記第２の実施の形態に係るものと同様であるので、ここでは、図１４を参照して、本第４の実施の形態に係る出力モード特定処理ルーチン・プログラムについて説明する。また、同図における図９と同一の処理を行うステップについては図９と同一のステップ番号を付して、その説明を極力省略する。
【００７５】
同図のステップ３０７では、算出したヒット率Ｈが所定値（一例として、５０％）以上であるカラーパレット情報が複数存在するか否かを判定し、否定判定となった場合はステップ３０８に移行する一方、肯定判定となった場合にはステップ３１５に移行する。
【００７６】
その後、ステップ３１３では、ステップ３１０にて読み出したヒット率Ｈのうち、ヒット率Ｈが高い順に複数のヒット率Ｈに関連付けられた出力モード番号により示される複数の出力モードを、入力画像信号に最も類似する色の使用傾向とされた複数の出力モードであるものとして特定し、その後に本出力モード特定処理ルーチン・プログラムを終了する。
【００７７】
一方、ステップ３１５では、上記ステップ３０７において存在すると判定された複数の優先順位順パレットに対応する出力モードを、入力画像信号の色の使用傾向に対する類似の度合いが、上記所定値により示される度合い以上となる出力モードであるものとして特定し、その後に本出力モード特定処理ルーチン・プログラムを終了する。
【００７８】
以上の出力モード特定処理ルーチン・プログラムが適用された画像処理プログラムの実行により、一例として図１５に模式的に示されるように、入力画像信号により示される原稿使用色のカラーパレット情報により示される色に対するヒット率Ｈが所定値以上となったカラーパレット情報が複数検出された時点で、適用すべき出力モードに対応するカラーパレット情報が複数特定されたものとして当該ヒット率Ｈの算出を停止し、当該複数のカラーパレット情報に対応する複数の色変換情報が合成された状態で適用されて、入力画像信号が出力画像信号に変換されることになる。また、このとき、ヒット率Ｈが所定値となるカラーパレット情報が複数検出されなかった場合には、ヒット率Ｈが最も高い方の複数のカラーパレット情報に対応する複数の出力モードの色変換情報が合成された状態で適用されて、入力画像信号が出力画像信号に変換されることになる。
【００７９】
以上詳細に説明したように、本第４実施形態では、上記第２実施形態と同様の効果を奏することができると共に、特定した出力モードが複数存在する場合に、当該複数の出力モードに対応する色変換情報を合成して合成色変換情報を生成し、生成した前記合成色変換情報を用いて前記入力画像信号を前記出力画像信号に変換しているので、ユーザの嗜好がきめ細かく反映された合成色変換情報を用いて画像信号の変換を行うことができる結果、よりユーザの嗜好に合致した出力画像信号を得ることができる。
【００８０】
［第５の実施の形態］
本第５の実施の形態では、入力画像信号がカラーパレット情報の色域（ガマット）から外れた色を使用している場合の形態例について説明する。なお、本第５の実施の形態に係る画像処理装置１０の構成は、上記第１の実施の形態に係るものと同様であるので、ここでの説明は省略する。
【００８１】
まず、図１６を参照して、本第５の実施の形態に係る画像処理装置１０における、入力画像信号を出力画像信号に変換する際の作用を説明する。なお、図１６は、この際に制御部１８Ａにより実行される画像処理プログラムの処理の流れを示すフローチャートであり、当該プログラムは、制御部１８Ａに内蔵された不図示のメモリに予め記憶されている。また、同図における図５と同一の処理を行うステップについては図５と同一のステップ番号を付して、その説明を極力省略する。
【００８２】
同図のステップ１０５では、図１７に示されるガマットマッピング処理ルーチン・プログラムを実行する。以下、図１７を参照して、本第５の実施の形態に係るガマットマッピング処理ルーチン・プログラムについて説明する。
【００８３】
同図のステップ４００では、ステップ１０４の処理によって特定した出力モード（以下、「適用出力モード」という。）に対応するカラーパレット情報の色域から外れる入力画像信号の画素数Ｇを導出する。なお、本実施の形態に係るガマットマッピング処理ルーチン・プログラムでは当該画素数Ｇを、出力モード特定処理ルーチン・プログラム（図６も参照。）のステップ２００の処理において、適用出力モードに対応するカラーパレット情報に関して計数された画素数を入力画像信号による全画素数から減算することにより導出している。
【００８４】
次のステップ４０２では、導出した画素数Ｇが第１所定数以上であるか否かを判定し、肯定判定となった場合はステップ４０４に移行して、入力画像信号を適用出力モードに対応するカラーパレット情報の色域に納めるようにガマット圧縮を行い、その後に本ガマットマッピング処理ルーチン・プログラムを終了する。
【００８５】
一方、上記ステップ４０２において否定判定となった場合にはステップ４０６に移行し、導出した画素数Ｇが上記第１所定数より少ない値とされた第２所定数（ここでは、１）以上であるか否かを判定し、肯定判定となった場合はステップ４０８に移行して、入力画像信号を適用出力モードに対応するカラーパレット情報の色域に納めるようにクリッピングを行い、その後に本ガマットマッピング処理ルーチン・プログラムを終了する。
【００８６】
なお、上記ステップ４０６において否定判定となった場合には、ガマットマッピングする必要がないものと見なして入力画像信号に何ら処理を加えることなく、本ガマットマッピング処理ルーチン・プログラムを終了する。
【００８７】
以上詳細に説明したように、本第５実施形態では、上記第１実施形態と同様の効果を奏することができると共に、入力画像信号の色域が、出力画像信号の導出に用いられる色変換情報に対応するカラーパレット情報の色域より外に存在する場合に、前記入力画像信号の色域を当該カラーパレット情報の色域内となるように色域マッピングを行っているので、より的確に入力画像信号の出力画像信号への変換を行うことができる。
【００８８】
［第６の実施の形態］
本第６の実施の形態では、ヒット率が許容範囲内のカラーパレット情報が複数存在する場合の形態例について説明する。なお、本第６の実施の形態に係る画像処理装置１０の構成は、上記第１の実施の形態に係るものと同様であるので、ここでの説明は省略する。
【００８９】
次に、本第６の実施の形態に係る画像処理装置１０における、入力画像信号を出力画像信号に変換する際の作用を説明する。なお、当該作用は出力モード特定処理ルーチン・プログラムの実行時における作用を除いて上記第１の実施の形態に係るものと同様であるので、ここでは、図１８を参照して、本第６の実施の形態に係る出力モード特定処理ルーチン・プログラムについて説明する。また、同図における図６と同一の処理を行うステップについては図６と同一のステップ番号を付して、その説明を極力省略する。
【００９０】
同図におけるステップ２１４では、ステップ２０８の処理によって読み出したヒット率Ｈに予め定められた許容範囲内のものが複数存在するか否かを判定し、肯定判定となった場合はステップ２１６に移行して、当該複数のヒット率Ｈに対応する複数の出力モードのうち、入力画像信号を出力画像信号に変換した場合に生じる色数が最も多い出力モードを、入力画像信号に対する色再現性が最もよい出力モードであるものとして特定する。
【００９１】
一方、上記ステップ２１４において否定判定となった場合にはステップ２１８に移行し、ステップ２０８の処理によって読み出したヒット率Ｈのうち最も高いヒット率Ｈに関連付けられた出力モード番号により示される出力モードを、入力画像信号に最も類似する色の使用傾向とされた出力モードであるものとして特定する。
【００９２】
以上詳細に説明したように、本第６実施形態では、上記第１実施形態と同様の効果を奏することができると共に、特定された出力モードが複数存在する場合に、当該複数の出力モードに対応する複数の色変換情報のうち、変換後の出力画像信号における色数が最も多くなる色変換情報を用いて前記入力画像信号を前記出力画像信号に変換しているので、色再現性のよい変換を行うことができる。
【００９３】
［第７の実施の形態］
本第７の実施の形態では、ヒット率が許容範囲内のカラーパレット情報が複数存在する場合の他の形態例について説明する。なお、本第７の実施の形態に係る画像処理装置１０の構成は、上記第２の実施の形態に係るものと同様であるので、ここでの説明は省略する。
【００９４】
次に、本第７の実施の形態に係る画像処理装置１０における、入力画像信号を出力画像信号に変換する際の作用を説明する。なお、当該作用は出力モード特定処理ルーチン・プログラムの実行時における作用を除いて上記第２の実施の形態に係るものと同様であるので、ここでは、図１９を参照して、本第７の実施の形態に係る出力モード特定処理ルーチン・プログラムについて説明する。また、同図における図９と同一の処理を行うステップについては図９と同一のステップ番号を付して、その説明を極力省略する。
【００９５】
同図におけるステップ３０７では、ステップ３０４の処理によって記憶されたヒット率Ｈに予め定められた許容範囲内のものが複数存在するか否かを判定し、否定判定となった場合はステップ３０８に移行する一方、肯定判定となった場合にはステップ３１６に移行する。
【００９６】
ステップ３１６では、上記許容範囲内のものである複数のヒット率Ｈに対応する複数の出力モードのうち、入力画像信号を出力画像信号に変換した場合に生じる色数が最も多い出力モードを、入力画像信号に対する色再現性が最もよい出力モードであるものとして特定する。
【００９７】
以上詳細に説明したように、本第７実施形態では、上記第２実施形態と同様の効果を奏することができると共に、特定された出力モードが複数存在する場合に、当該複数の出力モードに対応する複数の色変換情報のうち、変換後の出力画像信号における色数が最も多くなる色変換情報を用いて前記入力画像信号を前記出力画像信号に変換しているので、色再現性のよい変換を行うことができる。
【００９８】
以上、本発明を実施の形態を用いて説明したが、本発明の技術的範囲は上記各実施の形態に記載の範囲には限定されない。発明の要旨を逸脱しない範囲で上記各実施の形態に多様な変更または改良を加えることができ、そのような変更または改良を加えた形態も本発明の技術的範囲に含まれる。
【００９９】
また、上記の各実施の形態は、クレーム（請求項）にかかる発明を限定するものではなく、また各実施の形態の中で説明されている特徴の組合せの全てが発明の解決手段に必須であるとは限らない。前述した各実施の形態には種々の段階の発明が含まれており、開示される複数の構成要件における適宜の組み合せにより種々の発明を抽出できる。各実施の形態に示される全構成要件から幾つかの構成要件が削除されても、効果が得られる限りにおいて、この幾つかの構成要件が削除された構成が発明として抽出され得る。
【０１００】
例えば、上記各実施の形態では、画像処理をソフトウェアによって実現した場合について説明したが、本発明はこれに限定されるものではなく、例えば、当該画像処理をハードウェアにより実現する形態とすることもできる。この場合の形態例としては、例えば、「特定手段」、「変換手段」等の本発明の各構成要素と同様に機能する機能デバイスを設ける形態が例示できる。この場合は、上記各実施の形態に比較して、画像処理の高速化が期待できる。
【０１０１】
また、上記各実施の形態では、入力画像信号により示される画像に、写真、グラフィック、文字等の複数種類の画像が含まれる場合については特に言及しなかったが、例えば、上記各種類別の画像領域毎に上記各実施の形態と同様の画像信号の変換を行う形態とすることもできる。この場合、上記各実施の形態に比較して、よりきめ細かな変換を行うことができる結果、よりユーザの嗜好に合致した出力画像信号を得ることができる。
【０１０２】
その他、上記各実施の形態で説明した画像処理装置１０の構成（図１、図２参照。）は一例であり、本発明の主旨を逸脱しない範囲内において適宜変更可能であることは言うまでもない。
【０１０３】
また、上記各実施の形態で説明した各種プログラムの処理の流れ（図５、図６、図９、図１１、図１２、図１４、図１６〜図１９参照。）も一例であり、本発明の主旨を逸脱しない範囲内において適宜変更可能であることは言うまでもない。
【０１０４】
更に、上記各実施の形態で説明した各種情報のデータ構造（図３、図４、図８参照。）も一例であり、本発明の主旨を逸脱しない範囲内において適宜変更可能であることは言うまでもない。
【図面の簡単な説明】
【０１０５】
【図１】実施の形態に係る画像処理装置の概略構成を示すブロック図である。
【図２】実施の形態に係る色空間信号変換部の概略構成を示すブロック図である。
【図３】第１の実施の形態に係るカラーパレット情報のデータ構造を示す模式図である。
【図４】実施の形態に係る色変換情報のデータ構造を示す模式図である。
【図５】第１の実施の形態に係る画像処理プログラムの処理の流れを示すフローチャートである。
【図６】第１の実施の形態に係る出力モード特定処理ルーチン・プログラムの処理の流れを示すフローチャートである。
【図７】第１の実施の形態に係る画像処理装置の動作の説明に供する模式図である。
【図８】第２の実施の形態に係るカラーパレット情報のデータ構造を示す模式図である。
【図９】第２の実施の形態に係る出力モード特定処理ルーチン・プログラムの処理の流れを示すフローチャートである。
【図１０】第２の実施の形態に係る画像処理装置の動作の説明に供する模式図である。
【図１１】第３の実施の形態に係る画像処理プログラムの処理の流れを示すフローチャートである。
【図１２】第３の実施の形態に係る出力モード特定処理ルーチン・プログラムの処理の流れを示すフローチャートである。
【図１３】第３の実施の形態に係る画像処理装置の動作の説明に供する模式図である。
【図１４】第４の実施の形態に係る出力モード特定処理ルーチン・プログラムの処理の流れを示すフローチャートである。
【図１５】第４の実施の形態に係る画像処理装置の動作の説明に供する模式図である。
【図１６】第５の実施の形態に係る画像処理プログラムの処理の流れを示すフローチャートである。
【図１７】第５の実施の形態に係るガマットマッピング処理ルーチン・プログラムの処理の流れを示すフローチャートである。
【図１８】第６の実施の形態に係る出力モード特定処理ルーチン・プログラムの処理の流れを示すフローチャートである。
【図１９】第７の実施の形態に係る出力モード特定処理ルーチン・プログラムの処理の流れを示すフローチャートである。
【符号の説明】
【０１０６】
１０    画像処理装置
１２    入力部
１４    出力部
１６    ＵＩ部
１８    色空間信号変換部
１８Ａ    制御部（特定手段、マッピング手段、合成手段）
１８Ｂ    カラーパレット保持部（記憶手段）
１８Ｃ    色変換情報保持部（記憶手段）
【図１】
2007243350.tif 000003
【図２】
2007243350.tif 000004
【図３】
2007243350.tif 000005
【図４】
2007243350.tif 000006
【図５】
2007243350.tif 000007
【図６】
2007243350.tif 000008
【図７】
2007243350.tif 000009
【図８】
2007243350.tif 000010
【図９】
2007243350.tif 000011
【図１０】
2007243350.tif 000012
【図１１】
2007243350.tif 000013
【図１２】
2007243350.tif 000014
【図１３】
2007243350.tif 000015
【図１４】
2007243350.tif 000016
【図１５】
2007243350.tif 000017
【図１６】
2007243350.tif 000018
【図１７】
2007243350.tif 000019
【図１８】
2007243350.tif 000020
【図１９】
2007243350.tif 000021